(57)【要約】【課題】  廃棄されたガラス材を適切に分類あるいは分別して、ガラス材の原料の一部として再利用する。【解決手段】  ガラスリサイクル支援装置１２０は、ガラス材ＩＤに対応づけてガラス材の品種に関する品種情報を格納するガラス材データベースを有する。リーダ１４０によって廃棄されたガラス材に装着されたＩＣタグから読み込まれたガラス材ＩＤは、ガラスリサイクル支援装置１２０に送信される。ガラスリサイクル支援装置１２０は、受信したガラス材ＩＤとガラス材データベースとを用いて、廃棄されたガラス材の品種を特定し、特定したガラス材の品種をリサイクル業者側端末装置１３０に送信する。リサイクル業者側端末装置１３０は、廃棄されたガラス材について特定されたガラス材の品種を表示する。【選択図】  図３
2006320801.tif 000002
【特許請求の範囲】
【請求項１】
ガラス材を識別するためのガラス材識別情報を記憶した電子タグが装着されたガラス材のリサイクルを支援するシステムであって、
前記ガラス材識別情報に対応づけて前記ガラス材の品種に関する品種情報を格納するガラス材情報記憶手段と、
廃棄されたガラス材に装着された電子タグからガラス材識別情報を読み込む手段と、
読み込まれたガラス材識別情報とガラス材情報記憶手段とを用いて、前記廃棄されたガラス材の品種を特定する手段と、
前記廃棄されたガラス材について特定されたガラス材の品種を表示する手段と、
を備えることを特徴とするガラスリサイクル支援システム。
【請求項２】
各品種のガラス材の原料となるカレットの需要に関する情報を格納するガラス材生産計画記憶手段と、
前記廃棄されたガラス材について特定された品種のガラス材の原料となるカレットの需要に関する情報を前記ガラス材生産計画記憶手段を用いて取得する手段と、
前記廃棄されたガラス材から生成されるカレットについての需要に関する情報を表示する手段と、
をさらに備えることを特徴とする請求項１に記載のガラスリサイクル支援システム。
【請求項３】
前記ガラス材生産計画記憶手段は、ガラス材ごとに調達すべきカレットの重量を格納し、
前記廃棄されたガラス材から生成されるカレットについての需要に関する情報として、必要とされるカレットの重量を表示する手段と、
廃棄されたガラス材から生成されるカレットの重量を入力する手段と、
前記入力されたカレットの重量に基づいて、前記ガラス材生産計画記憶手段に格納された調達すべきカレットの重量を更新する手段と、
をさらに備えることを特徴とする請求項２に記載のガラスリサイクル支援システム。
【請求項４】
前記ガラス材生産計画記憶手段は、ガラス材ごとにカレットを納入すべき日時を格納し、
前記廃棄されたガラス材から生成されるカレットについての需要に関する情報として、カレットを納入すべき日時を表示する手段をさらに備えることを特徴とする請求項１乃至３のいずれか１項に記載のガラスリサイクル支援システム。
【請求項５】
各ガラス材の生産計画に関する情報を受け付ける手段と、
受け付けられた生産計画に関する情報に基づいて前記ガラス材生産計画記憶手段に格納された各ガラス材の原料となるカレットの需要に関する情報を更新する手段と、
をさらに備えることを特徴とする請求項１乃至４のいずれか１項に記載のガラスリサイクル支援システム。
【請求項６】
前記ガラス材が自動車のウィンドウ用のガラス材であることを特徴とする請求項１乃至５のいずれか１項に記載のガラスリサイクル支援システム。
【発明の詳細な説明】
【技術分野】
【０００１】
本発明は、ガラス材のリサイクルを支援するシステムに関する。
【背景技術】
【０００２】
近年、地球環境の保全という観点から、資源を有効利用し、廃棄物を低減するリサイクル型社会の実現が望まれている。自動車のウインドウに使われるガラス材や住宅またはビルディングなどの建築物のウインドウに使われるガラス材もリサイクルが望まれる製品の一つである。自動車のウインドウ等のガラス製品としての使用が終了し、廃棄されたガラス材（以下、廃ガラスと呼ぶ）は再度溶融することにより新たなガラス製品として再生させることができる。しかし、従来、廃ガラスの大半は産業廃棄物として処分され、新たなガラスの原料としてリサイクルされる比率が低かった。
【０００３】
廃ガラスを産業廃棄物としない試みとして、ガラス原料にリサイクルすることが困難である廃ガラスを土木用材料等にリサイクルする技術が開示されている（特許文献１参照）。
【特許文献１】特開２００４−０３５３５１号公報
【発明の開示】
【発明が解決しようとする課題】
【０００４】
従来のように廃ガラスを新たなガラスの原料の一部として用いるリサイクルが進展しない背景には、ガラスという材料に固有な要因がリサイクルを困難にしているという事情がある。
【０００５】
一般に、ガラスは、主原料たる酸化ケイ素に加えて、酸化アルミニウム、酸化カリウム、酸化カルシウム、酸化マグネシウムなどを含む。ガラスはその組成に応じて品種が異なる。たとえば、組成を変えることにより、ＵＶカットガラス、ＩＲカットガラスなどの機能の異なるガラスが得られる。
【０００６】
各成分が溶融してガラスという形態が生じると、ガラスから各成分を取り出すことは困難になる。したがって、廃ガラスを新たなガラスの原料の一部として用いる場合には、廃ガラスを粉砕して得られるカレットと呼ばれる粉砕物をそのまま用いざるを得ない。ガラスの品質を保持するためには、カレットの組成と製造しようとするガラスの組成とが一致している必要がある。このことは、自動車のウインドウ等のガラス製品のように、高度な品質管理が要求される場合に特に重要である。このため、廃ガラスを新たなガラスの原料の一部として用いるためには、品種に応じて廃ガラスを適切に分類あるいは分別する必要がある。
【０００７】
ところが、ガラスは透明度や色調が似ていても、組成が同一とは限らないため、外観だけではガラスの組成を判断することができない。このため、多種多様な廃ガラスが収集されると、それらを品種毎に適切に分類または分別することができないため、廃ガラスを産業廃棄物として廃棄処分せざるを得なかった。
【０００８】
また、たとえば、自動車のフロントウィンドウには、２枚の板ガラスの間に柔軟で強靭な中間膜を挟み込んだ合わせガラスが用いられている。合わせガラスに用いられる中間膜もガラスと同様に再利用が可能な素材であるが、中間膜もガラスと同様に外観から組成を判断することができないため、ガラスとともに廃棄処分されていた。
【０００９】
本発明はこうした課題に鑑みてなされたものであり、その目的は、廃棄されたガラス材を適切に分類あるいは分別して、ガラス材の原料の一部として再利用するガラスリサイクルを支援する技術の提供にある。
【課題を解決するための手段】
【００１０】
本発明のある態様は、ガラス材を識別するためのガラス材識別情報を記憶した電子タグが装着されたガラス材のリサイクルを支援するシステムであって、前記ガラス材識別情報に対応づけて前記ガラス材の品種に関する品種情報を格納するガラス材情報記憶手段と、廃棄されたガラス材に装着された電子タグからガラス材識別情報を読み込む手段と、読み込まれたガラス材識別情報とガラス材情報記憶手段とを用いて、前記廃棄されたガラス材の品種を特定する手段と、前記廃棄されたガラス材について特定されたガラス材の品種を表示する手段と、を備えることを特徴とする。
【００１１】
ここで、「ガラス材」は特定の種類のガラスには限定されず、単板ガラス、合わせガラス、強化ガラス、複層ガラス、エンキャップ付き単板ガラス、エンキャップ付き強化ガラスなどの種々のガラスから選ばれる１種類以上のガラスを含む。
【００１２】
この態様によれば、廃ガラスごとに品種を特定することができ、リサイクル業者において廃ガラスの分類または分別が容易に実施される。これにより、廃ガラスを新たに製造されるガラス材の原料の一部として再利用することが促進される。また、廃ガラスの分類または分別が確実に行われるので、組成が異なる異物が原料に混入することが抑制され、ガラス材の品質向上が図られる。
【００１３】
上記態様において、各品種のガラス材の原料となるカレットの需要に関する情報を格納するガラス材生産計画記憶手段と、前記廃棄されたガラス材について特定された品種のガラス材の原料となるカレットの需要に関する情報を前記ガラス材生産計画記憶手段を用いて取得する手段と、前記廃棄されたガラス材から生成されるカレットについての需要に関する情報を表示する手段と、をさらに備えてもよい。
【００１４】
この態様によれば、リサイクル業者に対して、持ち込まれた廃ガラスが原料として需要があるのか否かが提示されるため、ガラス材のリサイクルが円滑かつ無駄なく運営される。
【００１５】
上記態様において、前記ガラス材生産計画記憶手段は、ガラス材ごとに調達すべきカレットの重量を格納し、前記廃棄されたガラス材から生成されるカレットについての需要に関する情報として、必要とされるカレットの重量を表示する手段と、廃棄されたガラス材から生成されるカレットの重量を入力する手段と、前記入力されたカレットの重量に基づいて、前記ガラス材生産計画記憶手段に格納された調達すべきカレットの重量を更新する手段と、をさらに備えてもよい。
【００１６】
この態様によれば、リサイクル業者によって生成されるカレットの重量に応じて、調達すべきカレットの重量が変更されるため、調達すべきカレットの重量をより正確に把握し、ガラスリサイクルの運営を円滑に行うことができる。
【００１７】
上記各態様において、前記ガラス材生産計画記憶手段は、ガラス材ごとにカレットを納入すべき日時を格納し、前記廃棄されたガラス材から生成されるカレットについての需要に関する情報として、カレットを納入すべき日時を表示する手段をさらに備えてもよい。
【００１８】
この態様によれば、リサイクル業者は、納入希望日に合わせてカレット生成に関する予定を計画することができるので、ガラス材リサイクルの運営の円滑化が促進される。
【００１９】
上記各態様において、各ガラス材の生産計画に関する情報を受け付ける手段と、受け付けられた生産計画に関する情報に基づいて前記ガラス材生産計画記憶手段に格納された各ガラス材の原料となるカレットの需要に関する情報を更新する手段と、をさらに備えてもよい。
【００２０】
この態様によれば、各品種のガラス材についての生産計画が的確に把握される。
【００２１】
上記各態様において、前記ガラス材が自動車のウィンドウ用のガラス材であってもよい。
【００２２】
この態様によれば、これまで廃棄処分とされていた自動車のウィンドウ用のガラス材のリサイクルが促進される。
【００２３】
なお、上述した各要素を適宜組み合わせたものも、本件特許出願によって特許による保護を求める発明の範囲に含まれうる。
【発明の効果】
【００２４】
本発明によれば、廃棄されたガラス材の分類または分別を容易に行うことができるので、ガラス材のリサイクル率が向上する。
【発明を実施するための最良の形態】
【００２５】
以下、本発明の実施形態について、図面を参照して説明する。本実施形態では、自動車のフロントウインドウ、サイドウインドウ、リヤウィンドウ等に用いられるガラス材のリサイクルを支援するシステムが例示されるが、本発明のガラスリサイクル支援システムは自動車に用いられるガラス材のリサイクルに限定されず、住宅等の窓に用いられるガラス材などのガラス材一般に適用可能であることはいうまでもない。
【００２６】
図１は、実施形態に係るガラスリサイクル支援システムが適用されるガラスリサイクルの工程を示す図である。
【００２７】
生産業者２０は、新規に導入されるガラス原料とリサイクル業者５０から持ち込まれるカレットとを原料として、溶融、成形、徐冷の各工程によりガラス材を製造し、必要に応じて切断、洗浄を行った後、検査に合格した自動車用ガラスを出荷する。ガラス材の種別として、合わせガラス、強化ガラス、エンキャップ付き強化ガラスなどが挙げられる。各種別のガラス材には、グレードや機能に応じて、種々の品種が存在する。
【００２８】
生産業者２０は、ガラス材に電子タグの一種であるＩＣタグを装着した状態で、ガラス材を出荷する。ＩＣタグとしては、無線により読み出しが可能でかつバッテリレスのＲＦＩＤタグが好適である。本実施形態で用いられるＩＣタグは読み取り専用のＲＯＭタイプのタグであり、ＩＣタグにはガラス材を識別するガラス材ＩＤが記録されている。ＩＣタグの装着方法は、ガラス材にＩＣタグが固定されさえすれば、どのような装着方法を採用してもよい。たとえば、ＩＣタグは、ガラス材の表面に接着されていてもよい。ガラス材が合わせガラスである場合には、ＩＣタグは中間膜に埋め込まれていてもよい。
【００２９】
生産業者２０は、ガラス材の製造過程において、ＲＯＭタイプのＩＣタグの他に、書き込み可能なＩＣタグをガラス材の表面に一時的に装着する。書き込み可能なＩＣタグには、ガラス材の品種に関する情報が書き込まれる。ガラス材を出荷する際に、書き込み可能なＩＣタグに記録された品種に関する情報が読み取られ、後述するガラス材データベースに登録される。書き込み可能なＩＣタグは、ガラス材の出荷時にガラス材から取り外され、記録内容が消去された後、他のガラス材の製造時に再利用される。
【００３０】
図２は、書き込み可能なＩＣタグに記録されるデータ構造を示す。0bitから(L-1)bitの領域に、ガラス材の大分類に関する情報が書き込まれる。ガラス材の大分類は、合わせガラス、強化ガラス、エンキャップ付き強化ガラスなどである。Lbitから(M-1)bitの領域に、ガラス材の品種に関連する情報が書き込まれる。合わせガラスについては、ガラス材の品種に関連する情報として、品番、外板ガラスの種類、内板ガラスの種類、外板ガラスおよび内板ガラスの厚みパターン、中間膜の構成、中間膜の種類、中間膜のメーカなどの情報が記録される。強化ガラスについては、ガラス材の品種に関する情報として、品番、素板の種類、素板の厚みなどの情報が記録される。エンキャップ付き強化ガラスについては、ガラス材の品種に関する情報として、品番、素板の種類、素板の厚み、エンキャップの種類などの情報が記録される。また、MbitからNbitの領域にガラス材の生産管理に関する情報が記録されることが好ましい。ガラス材の生産管理に関する情報として、製造年月日、製造工場などが記録される。
【００３１】
図１の説明に戻り、生産業者２０によって製造されたガラス材は、自動車メーカ３０に納入され、自動車のウィンドウ部分に組み込まれる。自動車メーカ３０が製造した自動車は、消費者４０に販売され、使用される。消費者が所有する自動車が廃棄処分されるか、あるいは、破損、劣化などの理由でガラス材が自動車から取り外されると、廃棄されたガラス材はリサイクル業者５０に届けられる。リサイクル業者５０は、廃ガラスに装着されたＩＣタグからガラス材ＩＤを読み取り、ガラスリサイクル支援システムを活用して廃ガラスを分類あるいは分別した後、粉砕処理によりカレットを生成する。このとき、廃ガラスが合わせガラスである場合には、廃ガラスから取り出された中間膜もガラスリサイクル支援システムを活用して分類または分別される。同様に、廃ガラスがエンキャップ付き強化ガラスである場合には、廃ガラスから取り出されたエンキャップもガラスリサイクル支援システムを活用して分類または分別される。
【００３２】
リサイクル業者５０で生成され、組成ごとに分類または分別されたカレット、中間膜およびエンキャップは生産業者２０に配送される。生産業者２０は、納入されたカレットをガラス材の原料の一部として再利用する。また、生産業者２０は、回収された中間膜およびエンキャップを有機溶剤で溶解する処理を行うことなどにより、回収された中間膜およびエンキャップを再利用することができる。
【００３３】
ガラスリサイクル支援システムは、廃ガラスの分類または分別を容易にすることにより、廃ガラスを新たに製造されるガラス材の原料の一部として再利用することを促進する。また、ガラスリサイクル支援システムにより、廃ガラスの分類または分別が確実に行われるので、組成が異なる異物が原料に混入することが抑制されるためガラス材の品質向上が図られる。
【００３４】
図３は、実施形態に係るガラスリサイクル支援システムの概要を示す全体構成図である。ガラスリサイクル支援システム１０は、生産業者側端末装置１００と、リーダライタ１１０と、ガラスリサイクル支援装置１２０と、リサイクル業者側端末装置１３０と、リーダ１４０と、通信ネットワーク１５０とを備える。生産業者側端末装置１００、ガラスリサイクル支援装置１２０およびリサイクル業者側端末装置１３０は、通信ネットワーク１５０により相互に通信可能に接続されている。通信ネットワーク１５０として、たとえば、インターネットやLAN(Local Area Network)を用いることができる。
【００３５】
リーダライタ１１０は、ガラス材に装着されたＲＯＭタイプのＩＣタグからガラス材ＩＤを読み込むことができる。また、リーダライタ１１０は、ガラス材に一時的に装着された書き込み可能なＩＣタグにデータを書き込むことができる。リーダライタ１１０は携帯型、据え置き型のいずれでもよい。リーダ１４０は、ガラス材に装着されたＲＯＭタイプのＩＣタグからガラス材ＩＤを読み込むことができる。リーダ１４０は携帯型、据え置き型のいずれでもよい。
【００３６】
本実施の形態では、生産業者側端末装置１００およびリサイクル業者側端末装置１３０をそれぞれ１つ含むシステム構成としたが、いずれかを複数含むものとしてもよい。また、生産業者側端末装置１００およびガラスリサイクル支援装置１２０をそれぞれ別の装置として含むシステム構成としたが、生産業者側端末装置１００とガラスリサイクル支援装置１２０とを組み合わせて１つの装置としてもよい。
【００３７】
図４は、生産業者側端末装置１００の構成を示すブロック図である。生産業者側端末装置１００は、ガラス材を生産する工場に設置され、生産するガラス材に関する情報をガラスリサイクル支援装置１２０に提供する。ガラス材に関する情報は、ガラス材に割り当てられたガラス材ＩＤ、ガラス材ＩＤに対応づけられたガラス材の品種に関する情報などの個々のガラス材に関する情報と、ガラス材の品種ごとに必要なカレット量や納入希望日を定めた生産計画に関する情報とを含む。
【００３８】
生産業者側端末装置１００は、処理部１０１、記憶部１０２、入力部１０３、出力部１０４、ネットワークインターフェース１０５および外部インターフェース１０６を含む。処理部１０１、記憶部１０２、入力部１０３、出力部１０４、ネットワークインターフェース１０５および外部インターフェース１０６は、バス１０７を介して、情報伝達可能に接続される。
【００３９】
処理部１０１は、コンピュータの中央処理装置（ＣＰＵ）であり、生産業者側端末装置１００の全体的な制御を行う。記憶部１０２は、生産業者側端末装置１００で実行されるプログラムや処理されるデータを恒久的または一時的に格納するものであり、たとえば、半導体メモリ、ハードディスク装置、光ディスク装置等が該当する。
【００４０】
入力部１０３は、ユーザ等が生産業者側端末装置１００へ情報を入力する際に使用される。入力部１０３として、たとえば、キーボード等の文字入力装置、スキャナ等の画像読取装置、マウス、トラックボール又はポインティングペン等のポインティングデバイス等が挙げられる。出力部１０４は、ユーザが行う操作を支援するためのユーザインターフェース画面を表示する。出力部１０４としては、スクリーンに画像を表示するＣＲＴまたは液晶ディスプレイなど用いることができる。
【００４１】
ネットワークインターフェース１０５は、ＴＣＰ／ＩＰ等の通信プロトコルを用いて通信ネットワーク１５０に接続された他の装置との情報の交換を可能とする。ネットワークインターフェース１０５は、モデム、ＬＡＮボード、ハブ等のネットワーク接続機器を含む。
【００４２】
外部インターフェース１０６は、ガラス材に装着されたＩＣタグのデータの読取り、書き換えが可能なリーダライタ１１０との情報の交換を可能とする。外部インターフェース１０６として、たとえば、ＵＳＢ、シリアルなどが挙げられる。
【００４３】
図５は、ガラスリサイクル支援装置１２０の構成を示すブロック図である。ガラスリサイクル支援装置１２０は、ガラス材のリサイクルを管理するセンターなどに設置され、生産業者側端末装置１００からガラス材のリサイクルの支援に必要なガラス材に関する情報を収集するとともに、リサイクル業者側端末装置１３０にガラス材のリサイクルに関する情報を提供する。
【００４４】
ガラスリサイクル支援装置１２０は、処理部１２１、記憶部１２２、およびネットワークインターフェース１２３を含む。処理部１２１、記憶部１２２、およびネットワークインターフェース１２３は、バス１２４を介して、情報伝達可能に接続される。
【００４５】
処理部１２１は、コンピュータの中央処理装置（ＣＰＵ）であり、ガラスリサイクル支援装置１２０の全体的な制御を行う。記憶部１２２は、ガラスリサイクル支援装置１２０で実行されるプログラムや処理されるデータを恒久的または一時的に格納するものであり、たとえば、半導体メモリ、ハードディスク装置、光ディスク装置等が該当する。
【００４６】
記憶部１２２は、ガラス材データベース１２５およびガラス材生産計画データベース１２６を含む。
【００４７】
図６は、ガラス材データベース１２５に格納されたデータ例を示す。ガラス材データベース１２５には、ガラス材を識別するガラス材ＩＤごとにガラス材の品種が対応付けられて記録されている。ガラス材ＩＤに基づいてガラス材データベース１２５を参照することにより、ガラス材の品種が特定される。合わせガラスに関しては、内板ガラスの種類、外板ガラスの種類および中間膜の種類に応じてガラス材の品種が定められている。強化ガラスに関しては、素板の種類に応じてガラス材の品種が定められている。また、エンキャップ付き強化ガラスに関しては、素板の種類およびエンキャップの種類に応じてガラス材の品種が定められている。
【００４８】
図７は、ガラス材生産計画データベース１２６に格納されたデータ例を示す図である。ガラス材生産計画データベース１２６には、ガラス材ごとにカレットの需要に関する情報が記録されている。カレットの需要に関する情報は、具体的には、各品種のガラス材の原料として必要とされるカレットの総重量、各品種のガラス材の原料として既に確保されたカレットの重量およびカレットを生産業者に納入すべき日時に関する情報を含む。
【００４９】
図５の説明に戻り、ネットワークインターフェース１２３は、ＴＣＰ／ＩＰ等の通信プロトコルを用いて通信ネットワーク１５０に接続された他の装置との情報の交換を可能とする。ネットワークインターフェース１２３は、モデム、ＬＡＮボード、ハブ等のネットワーク接続機器を含む。
【００５０】
図８は、リサイクル業者側端末装置１３０の構成を示すブロック図である。リサイクル業者側端末装置１３０は、ガラスリサイクル処理工場に設置され、廃ガラスに装着されたＩＣタグに記録されたガラス材ＩＤに基づいて、ガラスリサイクル支援装置１２０から廃ガラスの分離または分別に必要な情報を受信する。
【００５１】
リサイクル業者側端末装置１３０は、処理部１３１、記憶部１３２、入力部１３３、出力部１３４、ネットワークインターフェース１３５および外部インターフェース１３６を含む。処理部１３１、記憶部１３２、入力部１３３、出力部１３４、ネットワークインターフェース１３５および外部インターフェース１３６は、バス１３７を介して、情報伝達可能に接続される。
【００５２】
処理部１３１は、コンピュータの中央処理装置（ＣＰＵ）であり、リサイクル業者側端末装置１３０の全体的な制御を行う。記憶部１３２は、リサイクル業者側端末装置１３０で実行されるプログラムや処理されるデータを恒久的または一時的に格納するものであり、たとえば、半導体メモリ、ハードディスク装置、光ディスク装置等が該当する。
【００５３】
入力部１３３は、ユーザ等が生産業者側端末装置１００へ情報を入力する際に使用される。入力部１３３として、たとえば、キーボード等の文字入力装置、スキャナ等の画像読取装置、マウス、トラックボール又はポインティングペン等のポインティングデバイス等が挙げられる。出力部１３４は、ユーザが行う操作を支援するためのユーザインターフェース画面を表示する。出力部１３４としては、スクリーンに画像を表示するＣＲＴまたは液晶ディスプレイなどを用いることができる。
【００５４】
ネットワークインターフェース１３５は、ＴＣＰ／ＩＰ等の通信プロトコルを用いて通信ネットワーク１５０に接続された他の装置との情報の交換を可能とする。ネットワークインターフェース１３５は、モデム、ＬＡＮボード、ハブ等のネットワーク接続機器を含む。
【００５５】
外部インターフェース１３６は、廃ガラスに装着されたＩＣタグのデータの読取りが可能なリーダ１４０との情報の交換を可能とする。外部インターフェース１３６として、たとえば、ＵＳＢ、シリアルなどが挙げられる。
【００５６】
以下、実施形態に係るガラスリサイクル支援システム１０における処理について説明する。
【００５７】
（ガラス材情報登録処理）
図９は、ガラス材に関する情報をガラス材データベースに登録する処理を示すフローチャートである。
【００５８】
まず、ガラス材の製造過程で、ガラス材にＲＯＭタイプのＩＣタグおよび書き込み可能なＩＣタグが装着される（Ｓ１０）。ＲＯＭタイプのＩＣタグには、ユニークＩＤが予め記録されている。このユニークＩＤがガラス材を識別するためのガラス材ＩＤとなる。
【００５９】
ガラス材の製造過程において、書き込み可能なＩＣタグに、ガラス材の大分類、ガラス材の品種に関連する情報およびガラス材の生産管理に関する情報がリーダライタ１１０を用いて書き込まれる（Ｓ２０）。
【００６０】
ガラス材の出荷時に、ＲＯＭタイプのＩＣタグに記録されたガラス材ＩＤがリーダライタ１１０によって読み取られるとともに、書き込み可能なＩＣタグに記録されたガラス材の大分類等のガラス材関連情報がリーダライタ１１０読み取られ、書き込み可能なＩＣタグがガラス材から取り外される（Ｓ３０）。ガラス材から取り外された書き込み可能なＩＣタグは、データを初期化した後、新たに製造されるガラス材に装着される。
【００６１】
読み取られたガラス材ＩＤおよびガラス材関連情報は、生産業者側端末装置１００からガラスリサイクル支援装置１２０に送信される。ガラスリサイクル支援装置１２０は、受信したガラス材ＩＤおよびガラス材関連情報に基づいてガラス材データベース１２５を更新する（Ｓ４０）。
【００６２】
以上の処理により、個々のガラス材がガラス材ＩＤによって識別されるとともに、個々のガラス材の品種に関する情報がガラス材ＩＤに基づいて参照可能な形で管理される。
【００６３】
（ガラス材生産計画登録処理）
図１０は、ガラス材の生産計画に関する情報をガラス材生産計画データベースに登録する処理を示すフローチャートである。
【００６４】
受注済みのガラス材および受注見込みのガラス材の生産計画に関する情報が、入力部１０３を用いて入力される（Ｓ１００）。ガラス材の生産計画に関する情報として、生産するガラス材の品種、当該ガラス材の原料として用いられるカレットの重量、当該ガラス材の原料として既に確保したカレットの重量、およびカレットを納入すべき日時が挙げられる。
【００６５】
入力部１０３によって入力されたガラス材の生産計画に関する情報は、生産業者側端末装置１００からガラスリサイクル支援装置１２０に送信される。ガラスリサイクル支援装置１２０は、受信したガラス材の生産計画に関する情報に基づいてガラス材生産計画データベース１２６を更新する（Ｓ１１０）。
【００６６】
以上の処理により、各品種のガラス材についての生産計画が的確に把握される。各品種のガラス材についての生産計画を的確に把握することにより、ガラス材の生産に必要なカレットの重量をリサイクル業者５０に対して提供することができるので、ガラス材のリサイクルを円滑かつ無駄なく行うことができる。
【００６７】
（廃ガラスリサイクル支援処理）
図１１は、廃棄されたガラス材のリサイクルを支援する処理を示すフローチャートである。
【００６８】
リサイクル業者５０に廃ガラスが持ち込まれると、リーダ１４０を用いて廃ガラスに装着されたＩＣタグに記録されたガラス材ＩＤが読み取られる（Ｓ２００）。読み取られたガラス材ＩＤは、リサイクル業者側端末装置１３０に送信され、さらにリサイクル業者側端末装置１３０は、受信したガラス材ＩＤをガラスリサイクル支援装置１２０に送信する（Ｓ２１０）。
【００６９】
ガラスリサイクル支援装置１２０は、受信したガラス材ＩＤについて、ガラス材データベース１２５を参照することにより、ガラス材の品種を特定する（Ｓ２２０）。さらに、ガラスリサイクル支援装置１２０は、特定されたガラス材の品種について、ガラス材生産計画データベース１２６を参照することにより、品種が特定されたガラス材の生産計画に関する情報を読み出す（Ｓ２３０）。具体的には、ガラスリサイクル支援装置１２０は、特定されたガラス材の生産に必要なカレットの重量および納入希望日をガラス材生産計画データベース１２６を用いて取得する。特定されたガラス材の生産に必要なカレットの重量とは、たとえば図７に記載の合わせガラスＡの場合には、必要カレット総重量と確保済みカレットの重量との差で表される。
【００７０】
ガラスリサイクル支援装置１２０は、特定されたガラス材の品種ならびに品種が特定されたガラス材の生産に必要なカレットの量および納入希望日をリサイクル業者側端末装置１３０に送信する（Ｓ２４０）。
【００７１】
リサイクル業者側端末装置１３０は、ガラスリサイクル支援装置１２０から送信された特定されたガラス材の品種ならびに特定されたガラス材の生産に必要なカレットの重量および納入希望日をモニタ画面に表示する（Ｓ２５０）。これにより、外観からは判別が困難な廃ガラスの品種がリサイクル業者５０に提示されるため、リサイクル業者５０は、廃ガラスの分類または分別を適切かつ迅速に行うことができる。廃ガラスが合わせガラスやエンキャップ付き強化ガラスのようにガラス素材と樹脂素材が組み合わされたガラス材である場合には、ガラス素材のみならず樹脂素材についてもガラス材の品種に従って適切かつ迅速に分類または分別を行うことができる。また、リサイクル業者５０は、納入希望日に合わせてカレット生成に関する予定を計画することができるので、ガラス材リサイクルの運営の円滑化が促進される。
【００７２】
リサイクル業者５０は、収集された廃ガラスの重量に基づいて生成可能なカレット重量を見積もる。生成可能なカレット重量は、たとえば、廃ガラスの粉砕工程で生じる屑の量などを考慮して、廃ガラスの重量に１未満の所定の係数を乗じることにより見積もられる。リサイクル業者５０によって見積もられたカレット重量は、入力部１３３を用いて入力される（Ｓ２６０）。リサイクル業者５０は、モニタ画面に表示されたガラス材の品種に基づいて、廃ガラスを分類または分別した後、納入希望日までに廃ガラスから生成したカレットを生産業者２０に納入する。
【００７３】
リサイクル業者側端末装置１３０からガラスリサイクル支援装置１２０に、リサイクル業者５０によって見積もられたカレット重量が送信される。ガラスリサイクル支援装置１２０は、送信されたカレット重量を調達済みの原料として、ガラス材生産計画データベース１２６に登録する（Ｓ２７０）。これにより、調達すべきカレットの重量がより正確に把握され、ガラスリサイクルの運営が円滑に行われる。
【００７４】
以上説明したガラスリサイクル支援システムにより、廃ガラスごとに品種が特定されるため、リサイクル業者において廃ガラスの分類または分別が容易に実施される。これにより、廃ガラスを新たに製造されるガラス材の原料の一部として再利用することが促進される。また、廃ガラスの分類または分別が確実に行われるので、組成が異なる異物が原料に混入することが抑制され、ガラス材の品質向上が図られる。
【００７５】
また、リサイクル業者に対して、持ち込まれた廃ガラスが原料として需要があるのか否かが提示されるため、ガラス材のリサイクルが円滑かつ無駄なく運営される。
【００７６】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【００７７】
例えば、上述の各実施の形態では、生産業者２０によって生産されるガラス材にＲＯＭタイプのＩＣタグと書き込み可能なＩＣタグとが装着されるが、読み取り専用のデータ領域と、書き込み可能なデータ領域とを併せ持つＩＣタグを用いてもよい。これによれば、書き込み可能なＩＣタグを着脱する手間が省けるので、ガラス材を生産する作業効率が向上する。
【図面の簡単な説明】
【００７８】
【図１】実施形態に係るガラスリサイクル支援システムが適用されるガラスリサイクルの工程を示す図である。
【図２】書き込み可能なＩＣタグに記録されるデータ構造を示す図である。
【図３】実施形態に係るガラスリサイクル支援システムの概要を示す全体構成図である。
【図４】生産業者側端末装置の構成を示すブロック図である。
【図５】リサイクル支援装置の構成を示すブロック図である。
【図６】ガラス材データベースに格納されたデータ例を示す図である。
【図７】ガラス材生産計画データベースに格納されたデータ例を示す図である。
【図８】リサイクル業者側端末装置の構成を示すブロック図である。
【図９】ガラス材に関する情報をガラス材データベースに登録する処理を示すフローチャートである。
【図１０】ガラス材の生産計画に関する情報をガラス材生産計画データベースに登録する処理を示すフローチャートである。
【図１１】廃棄されたガラス材のリサイクルを支援する処理を示すフローチャートである。
【符号の説明】
【００７９】
１０  ガラスリサイクル支援システム、１００  生産業者側端末装置、１１０  リーダライタ、１２０  ガラスリサイクル支援装置、１３０  リサイクル業者側端末装置、１４０  リーダ。
【図１】
2006320801.tif 000003
【図２】
2006320801.tif 000004
【図３】
2006320801.tif 000005
【図４】
2006320801.tif 000006
【図５】
2006320801.tif 000007
【図６】
2006320801.tif 000008
【図７】
2006320801.tif 000009
【図８】
2006320801.tif 000010
【図９】
2006320801.tif 000011
【図１０】
2006320801.tif 000012
【図１１】
2006320801.tif 000013